(57)【要約】【課題】メディア変換装置に複数のデジタル機器及び複数のアナログ機器を接続し、所要の機器間でデータの伝送を行う。【解決手段】データ変換システム１０は、メディア変換装置１１が有する複数のアナログポート２１〜２４にバックカメラ１２及び左方カメラ１３等のアナログ機器を接続する一方、第１デジタルポート１１ａにはＤＶＤ装置１６及びデジタルモニタ１７等のデジタル機器を接続する。アナログ機器からデジタル機器へデータを伝送する場合は、各アナログポート２１〜２４に割り当てられたチャネル番号を利用する。デジタル機器からアナログ機器へデータを伝送する場合は、デジタル機器からの選択信号又はメディア変換装置１１の切替スイッチ３７に基づき使用するアナログポートを選択してデータ伝送経路を規制する。【選択図】　　　　図１
2004104705.tif 000002
【特許請求の範囲】
【請求項１】
データのＡ／Ｄ変換及び／又はＤ／Ａ変換を行う変換装置でデジタル機器及びアナログ機器を接続してなる車載のデータ変換システムにおいて、
前記アナログ機器は複数であり、
前記変換装置は、
前記複数のアナログ機器を夫々接続してアナログのデータの送出及び／又は受付を行う複数の接続部を備えることを特徴とするデータ変換システム。
【請求項２】
前記複数の接続部には、固有番号が夫々割り当ててあり、
前記Ａ／Ｄ変換を行う変換装置は更に、
Ａ／Ｄ変換を行ったデジタルのデータに、該データの変換元のアナログのデータを受け付けた接続部の固有番号を付加する番号付加手段と、
前記固有番号を付加したデジタルのデータを前記デジタル機器へ送出する送出手段と
を備え、
前記デジタル機器は、
固有番号を設定する番号設定手段と、
前記送出手段が送出したデジタルのデータに付加された固有番号を検知する番号検知手段と、
該番号検知手段が検知した固有番号及び前記番号設定手段が設定した固有番号が同一の場合、前記固有番号が付加されたデジタルのデータを取得するデータ取得手段と
を備える請求項１に記載のデータ変換システム。
【請求項３】
前記デジタル機器は通信ケーブルを介して前記変換装置に接続してあり、
前記変換装置は更に、
前記通信ケーブルの帯域幅を検知する検知手段と、
該検知手段が検知した帯域幅に空きが無い場合、前記複数の接続部のいずれかを遮断する接続部遮断手段と
を備える請求項１又は請求項２に記載のデータ変換システム。
【請求項４】
前記変換装置は更に、
前記複数の接続部の中でアナログのデータの送出及び／又は受付を行う接続部の選択を行う接続部選択手段を備える請求項１乃至請求項３のいずれかに記載のデータ変換システム。
【請求項５】
前記デジタル機器は、接続部の選択信号を送出する信号送出手段を備えており、
前記変換装置は更に、
前記信号送出手段が送出した選択信号を受け付ける信号受付手段を備え、
前記接続部選択手段は、
前記信号受付手段が受け付けた選択信号に基づき、接続部の選択を行う請求項４に記載のデータ変換システム。
【請求項６】
Ａ／Ｄ変換を行う変換装置において、
アナログ機器の接続用であり、固有番号が夫々割り当ててある複数の接続部と、
前記各接続部で受け付けるアナログのデータをＡ／Ｄ変換したデジタルのデータに、該データを受け付けた接続部の固有番号を付加する番号付加手段と、
前記固有番号を付加したデジタルのデータを送出する送出手段と
を備える変換装置。
【請求項７】
Ａ／Ｄ変換及び／又はＤ／Ａ変換を行う変換装置において、
アナログ機器の接続用である複数の接続部と、
該複数の接続部の中でアナログのデータの送出及び／又は受付を行う接続部を選択する接続部選択手段と
を備えることを特徴とする変換装置。
【発明の詳細な説明】
【０００１】
【発明の属する技術分野】
本発明は、アナログ機器及びデジタル機器を接続し、各機器間でデータを利用できる形態に変換するデータ変換システム及び変換装置に関し、詳しくは、複数のアナログ機器を接続可能にしてシステムの利用性の向上を図るものである。
【０００２】
【従来の技術】
従来、車両に搭載されたアナログモニタのようなアナログ機器で、車内に持ち込んだＤＶカメラ及び携帯型のパーソナル・コンピュータ等のデジタル機器のデータを利用する場合、一般にデジタル機器及びアナログ機器は直接的に接続できないため、デジタルとアナログの変換が可能なメディア変換装置で両者を接続することがある。
【０００３】
図８は、メディア変換装置２を中心とした従来の車載のデータ変換システム１を示す。メディア変換装置２はデジタル機器の接続用に２個のデジタルポート２ａ、２ｂを有すると共に、アナログ機器の接続用に１個のアナログポート２ｃを有し、このアナログポート２ｃに車載のアナログモニタ６をアナログケーブル７で接続している。
【０００４】
また、メディア変換装置２は、デジタルデータに関する部分はＩＥＥＥ１３９４に基づく仕様にしており、デジタルポート２ａに外部機器のＤＶカメラ４及び携帯型のパーソナル・コンピュータデータ５を通信ケーブル３ａ、３ｂによりデイジーチェーン方法で接続し、通信バス３を形成している。
【０００５】
よって、データ変換システム１で、車内に持ち込んだＤＶカメラ４の動画データを車載のアナログモニタ６で表示する場合、ＤＶカメラ４から送出するデジタル動画データを、メディア変換装置２でアナログ動画データに変換し、この変換したデータをアナログモニタ６へ送出するようにしている。なお、車載機器を接続するシステムに関しては以下の特許文献１でも開示されている。
【０００６】
【特許文献１】
特開２００２−１５２２４４号公報
【０００７】
【発明が解決しようとする課題】
昨今、車内に持ち込まれる外部のデジタル機器に加えて、車載機器として最初から車両に搭載されるデジタル機器の数が増加している。一方、依然として車両にはアナログ機器も搭載されており、車両にはデジタル機器及びアナログ機器が混在する状況になっている。これら各機器間で各機器のデータを相互に利用するためには、複数のデジタル機器及び複数のアナログ機器を接続すると共に、所要の機器間でデータを送受できるようにする必要がある。
【０００８】
しかし、上述したように、従来のメディア変換装置２は、複数のデジタル機器の接続には対応にしているが、アナログ機器は１台しか接続できないため、複数のデジタル機器及び複数のアナログ機器を接続できないと云う問題がある。よって、上述した車両における複数のデジタル及びアナログ機器同士の接続に関しては、メディア変換装置２を中心とした従来のシステムでは対応できないのが現状である。
【０００９】
また、複数のデジタル機器及び複数のアナログ機器を接続できたと仮定した場合でも、各機器間でデータの伝送が入り乱れるため、特定の機器間でのデータ伝送は困難になることが予想される。
【００１０】
本発明は、斯かる事情に鑑みてなされたものであり、複数のデジタル機器及び複数のアナログ機器をメディア変換装置で接続可能にすることで、各機器が有するデータの利用性を向上したデータ変換システム及び変換装置を提供することを目的とする。
また、本発明は、複数のアナログ機器を接続した場合でも、特定の機器間で確実にデータを伝送できるデータ変換システム及び変換装置を提供することを目的とする。
【００１１】
【課題を解決するための手段】
第１発明に係るデータ変換システムは、データのＡ／Ｄ変換及び／又はＤ／Ａ変換を行う変換装置でデジタル機器及びアナログ機器を接続してなる車載のデータ変換システムにおいて、前記アナログ機器は複数であり、前記変換装置は、前記複数のアナログ機器を夫々接続してアナログのデータの送出及び／又は受付を行う複数の接続部を備えることを特徴とする。
【００１２】
第２発明に係るデータ変換システムは、前記複数の接続部には、固有番号が夫々割り当ててあり、前記Ａ／Ｄ変換を行う変換装置は更に、Ａ／Ｄ変換を行ったデジタルのデータに、該データの変換元のアナログのデータを受け付けた接続部の固有番号を付加する番号付加手段と、前記固有番号を付加したデジタルのデータを前記デジタル機器へ送出する送出手段とを備え、前記デジタル機器は、固有番号を設定する番号設定手段と、前記送出手段が送出したデジタルのデータに付加された固有番号を検知する番号検知手段と、該番号検知手段が検知した固有番号及び前記番号設定手段が設定した固有番号が同一の場合、前記固有番号が付加されたデジタルのデータを取得するデータ取得手段とを備えることを特徴とする。
【００１３】
第３発明に係るデータ変換システムは、前記デジタル機器が通信ケーブルを介して前記変換装置に接続してあり、前記変換装置は更に、前記通信ケーブルの帯域幅を検知する検知手段と、該検知手段が検知した帯域幅に空きが無い場合、前記複数の接続部のいずれかを遮断する接続部遮断手段とを備えることを特徴とする。
【００１４】
第４発明に係るデータ変換システムは、前記変換装置が更に、前記複数の接続部の中でアナログのデータの送出及び／又は受付を行う接続部の選択を行う接続部選択手段を備えることを特徴とする。
【００１５】
第５発明に係るデータ変換システムは、前記デジタル機器が、接続部の選択信号を送出する信号送出手段を備えており、前記変換装置は更に、前記信号送出手段が送出した選択信号を受け付ける信号受付手段を備え、前記接続部選択手段は、前記信号受付手段が受け付けた選択信号に基づき、接続部の選択を行うことを特徴とする。
【００１６】
第６発明に係る変換装置は、Ａ／Ｄ変換を行う変換装置において、アナログ機器の接続用であり、固有番号が夫々割り当ててある複数の接続部と、前記各接続部で受け付けるアナログのデータをＡ／Ｄ変換したデジタルのデータに、該データを受け付けた接続部の固有番号を付加する番号付加手段と、前記固有番号を付加したデジタルのデータを送出する送出手段とを備えることを特徴とする。
【００１７】
第７発明に係る変換装置は、Ａ／Ｄ変換及び／又はＤ／Ａ変換を行う変換装置において、アナログ機器の接続用である複数の接続部と、該複数の接続部の中でアナログのデータの送出及び／又は受付を行う接続部を選択する接続部選択手段とを備えることを特徴とする。
【００１８】
第１発明にあっては、複数のデジタル機器の接続が可能なメディア変換装置のような変換装置に複数のアナログ機器用の接続部を設けることで、複数のアナログ機器を変換装置に接続できるようになり、複数のデジタル機器及び複数のアナログ機器の接続を実現できる。また、その結果、各機器が有するデータを各機器間で有効に利用できるようになる。
【００１９】
第２発明及び第６発明にあっては、各接続部に割り当てられた固有番号を付加したデジタルのデータを変換装置から送出すると共に、デジタル機器は設定した固有番号に応じて受け付けたデジタルのデータを取捨選択するので、複数のアナログ機器が変換装置に接続されていても、所要のアナログ機器から所要のデジタル機器へ確実にデータを伝送できる。なお、このような固有番号には、例えばＩＥＥＥ１３９４でアイソクロナス転送（同期転送）する場合のチャネル番号が相当し、変換装置がデータを伝送するパケットにチャネル番号を付加することで、デジタル機器はパケットに付加されたチャネル番号に基づき、通信バスを流れる複数のデータの中から望むデータを取得できる。
【００２０】
第３発明にあっては、デジタル機器を変換装置に接続する通信ケーブルの帯域幅を変換装置が検知し、帯域幅に空きが無い場合、いずれかの接続部を遮断するので、複数のアナログ機器から多量のデータが送出される場合でも、デジタル機器側の通信バスからデータが溢れるような状況を防止できる。なお、遮断される接続部はデータ量に応じて決定され、データ量によっては複数の接続部を遮断してもよく、また、受け付けるデータに対して優先度を付けて、優先度の低いデータを受け付ける接続部から順番に遮断するようにしてもよい。
【００２１】
第４発明及び第７発明にあっては、複数の接続部の中から使用する接続部を接続部選択手段で選択するので、デジタル機器からアナログ機器へデータを伝送する場合、及び、アナログ機器からデジタル機器へデータを伝送する場合において、データの伝送経路を規定して確実なデータ伝送を実現できる。
【００２２】
なお、このような接続部選択手段には、変換装置における制御を行うＣＰＵが相当し、ＣＰＵは、例えば変換装置に設けられた切替スイッチのスイッチ位置に応じて、使用する接続部を適宜切り換えるようにする。その結果、このように選択された接続部に接続されたアナログ機器だけがデータを送受でき、データ伝送を行う機器を制限できる。また、上述した固有番号に基づきデータの伝送を行う場合は、接続部選択手段で複数の接続部は選択するようにしてもよい。
【００２３】
第５発明は、上述した切替スイッチのスイッチ位置ではなく、接続部を選択するコマンドのような信号により接続部選択手段が接続部の選択を行う場合であり、デジタル機器から送出される接続部の選択信号に基づき、変換装置で接続部の選択を行うことで、デジタル機器で使用する接続部を選択でき、システムの利便性を向上できる。なお、デジタル機器は、選択信号を単独で変換装置へ送出してもよく、若しくは、送出するデータと共に選択信号を送出してもよい。
【００２４】
また、ＩＥＥＥ１３９４に基づきデジタル機器を含む通信バスを形成している場合は、選択信号をパケットで送出する。なお、ＩＥＥＥ１３９４では、パケットは送出宛が付加されて通信バスに含まれる全てのデジタル機器に送出されており、各デジタル機器はパケットを一旦受け付けてから、付加された宛先に基づきパケットが自己宛か否かを判断する。自己宛の場合、デジタル機器は受け付けたパケットを取得するが、自己宛でない場合は受け付けたパケットを廃棄する。
【００２５】
【発明の実施の形態】
以下、本発明をその実施の形態を示す図面に基づいて説明する。
図１は、本発明の実施形態に係る車両Ｓに構築されたデータ変換システム１０を示している。データ変換システム１０は、メディア変換装置１１でバックカメラ１２、左方カメラ１３、アナログモニタ１４及びアナログビデオ装置１５と云った複数の車載のアナログ機器と、ＤＶＤ装置１６、デジタルモニタ１７、ＤＶカメラ１８及び携帯型のパーソナル・コンピュータ１９と云ったＩＥＥＥ１３９４に対応した複数のデジタル機器を接続する。なお、各デジタル機器は通信ケーブル２５ａ〜２５ｄで接続され、全体としてＩＥＥＥ１３９４の通信バス２５が形成されている。
【００２６】
本実施形態のメディア変換装置１１はデータのＡ／Ｄ変換及びＤ／Ａ変換を行う変換装置に相当するものであり、図２にも示すように、アナログ機器を接続する接続部として計４個のアナログポート２１〜２４を設けている。これら各アナログポート２１〜２４には固有番号としてチャネル番号が割り当ててあり、第１アナログポート２１にはチャネル番号「１」、第２アナログポート２２にはチャネル番号「２」、第３アナログポート２３にはチャネル番号「３」、第４アナログポート２４にはチャネル番号「４」が夫々割り当てられている。
【００２７】
また、各アナログポート２１〜２４は同一の構成であり、アナログデータの種類及びデータの送受方向に応じて計４個の端子を夫々有している。各端子に関し、第１アナログポート２１で説明すると、上から順番に画像入力端子２１ａ、画像出力端子２１ｂ、音声出力端子２１ｃ及び音声入力端子２１ｄが設けられている。このような各アナログポート２１〜２４の各端子２１ａ〜２１ｄのいずれか又は全てに、アナログ機器からのアナログケーブルがアナログ機器自身の機能に応じて接続されている。
【００２８】
例えば、第１アナログポート２１に接続されるバックカメラ１２は、車両Ｓの後方を撮像した画像データを出力するものなので、アナログケーブル２６ａにより第１アナログポート２１の画像入力端子２１ａに接続されて、画像データをメディア変換装置１１へ送出している。
【００２９】
他のアナログ機器も各機器の機能に応じた接続が行われており、車両Ｓの左方を撮影して画像データを出力する左方カメラ１３は第２アナログポート２２の画像入力端子２２ａにアナログケーブル２６ｂで接続されている。また、受け付けた画像データの表示を行うアナログモニタ１４は、第３アナログポート２３の画像出力端子２３ｂにアナログケーブル２６ｃで接続されている。さらに、画像データ及び音声データの入出力を行うアナログビデオ装置１５は、計４本の信号線を束ねて構成されるアナログケーブル２６ｄで、第４アナログポート２４の各端子２４ａ〜２４ｄに接続されている。
【００３０】
また、メディア変換装置１１は、図２に示すように、Ａ／Ｄ・Ｄ／Ａ変換ＬＳＩ３０、リンク制御ＬＳＩ３１、画像ＳＤＲＡＭ３２、ファイ（ＰＨＹ）ＬＳＩ３３、ＣＰＵ３４、ＳＤＲＡＭ３５、ＦＲＯＭ３６、切替スイッチ３７及び電源回路３８で構成されている。なお、メディア変換装置１１は、ＩＥＥＥ１３９４に対応した仕様になっているため、リンク制御ＬＳＩ３１及びファイＬＳＩ３３は、デジタルデータに係る処理をＩＥＥＥ１３９４の仕様に基づいて行う。
【００３１】
Ａ／Ｄ・Ｄ／Ａ変換ＬＳＩ３０は、上述した各アナログポート２１〜２４と接続されており、各アナログポート２１〜２４で受け付けたアナログのデータのＡ／Ｄ変換、及び、デジタル機器が送出したデジタルのデータのＤ／Ａ変換を行う。また、Ａ／Ｄ変換を行う場合、Ａ／Ｄ・Ｄ／Ａ変換ＬＳＩ３０は番号付加手段として機能し、Ａ／Ｄ変換したデジタルデータに、このデジタルデータの変化元であるアナログデータを受け付けたアナログポートのチャネル番号を付加するようにしている。
【００３２】
例えば、第１アナログポート２１から受け付けたアナログデータからＡ／Ｄ変換されたデジタルデータには、第１アナログポート２１のチャネル番号である「１」が付加される。なお、ＩＥＥＥ１３９４では、デジタルデータをパケットで伝送するので、チャネル番号は、伝送対象のデジタルデータのパケットにおけるチャネル番号用の領域に付加される。
【００３３】
さらに、Ａ／Ｄ・Ｄ／Ａ変換ＬＳＩ３０は、Ｄ／Ａ変換を行った場合、変換したデジタルデータを、後述するようにＣＰＵ３４の制御に基づき、選択されたアナログポート２１〜２４のいずれかを通じて出力する機能、及び、各アナログポート２１〜２４を個別に遮断する機能を夫々備えている。
【００３４】
また、リンク制御ＬＳＩ３１は、Ａ／Ｄ・Ｄ／Ａ変換ＬＳＩ３０及びファイＬＳＩ３３と接続されて、メディア変換装置１１の内部におけるデータの流れを制御する処理を行うと共に、デジタルデータのフォーマット変換も行う。具体的にリンク制御ＬＳＩ３１は、Ａ／Ｄ・Ｄ／Ａ変換ＬＳＩ３０で変換されたデジタルのデータをファイＬＳＩ３３へパラレルの状態で伝送する一方、ファイＬＳＩ３３が受け付けたデジタル機器のデジタルデータをＡ／Ｄ・Ｄ／Ａ変換ＬＳＩ３０へパラレルの状態で伝送する。
【００３５】
また、本実施形態のリンク制御ＬＳＩ３１は、ＩＥＥＥ１３９４に基づいた仕様になっており、ファイＬＳＩ３３から受け付けたデジタルデータがＤＶフォーマットのような１３９４画像フォーマットである場合、１３９４画像フォーマットを一般的なデジタルビデオ信号のフォーマットに変換する。さらに、Ａ／Ｄ変換されたデジタルデータに対しては、上記とは逆方向の変換を行う。なお、リンク制御ＬＳＩ３１に接続される画像ＳＤＲＡＭ３２では、リンク制御ＬＳＩ３１における各種処理に係るデータが一時的に記憶される。
【００３６】
ファイＬＳＩ３３は、メディア変換装置１１に設けてある第１及び第２デジタルポート１１ａ、１１ｂと接続されて、チャネル番号が付加されたデジタルデータのパケットを送出する送出手段及び各デジタル機器からのデジタルデータのパケットを受け付ける受付手段として機能する。また、ファイＬＳＩ３３は、後述するＤＶＤ装置１６及びデジタルディスプレイ１７等のデジタル機器が送出する接続部の選択信号が付加されたパケットを受け付ける信号受付手段としても機能し、受け付けた信号はＣＰＵ３４へ伝送するようにしている。
【００３７】
さらに、ファイＬＳＩ３３は、ＩＥＥＥ１３９４の通信バス２５ではデータがシリアルで伝送されることをから、各デジタルポート１１ａ、１１ｂで受け付けたシリアルのデータをパラレルの状態に変換すると共に、リンク制御ＬＳＩ３１から受け付けたパラレルのデータをシリアルの状態に変換する処理も行う。
【００３８】
また、切替スイッチ３７は、図３にも示すように、各アナログポート２１〜２４に対応した第１スイッチ部３７ａから第４スイッチ部３７ｄを有しており、各スイッチ部３７ａ〜３７ｄ毎に独立してオン／オフを設定できるようにしている。なお、このようなオン／オフの設定状態はＣＰＵ３４へ伝送されている。
【００３９】
各スイッチ部３７ａ〜３７ｄがオンの場合、対応する各アナログポート２１〜２４でアナログのデータの送受、若しくは、送出又は受付のいずれかが可能となり、各スイッチ部３７ａ〜３７ｄがオフの場合、対応する各アナログポート２１〜２４は遮断されて、使用できない状態にされる。よって、図３に図示された状態では、第２スイッチ部３７ｂのみがオフとなっているので、第２アナログポート２２が遮断されて、他のアナログポート２１、２３、２４は使用できる状態になっている。
【００４０】
さらに、図２に示すＣＰＵ３４は、メディア変換装置１１の全体的な各種制御に加えて、接続部選択手段、検知手段及び接続部遮断手段として機能する。ＣＰＵ３４の接続部選択手段は、上述した切替スイッチ３７の各スイッチ部３７ａ〜３７ｄの状態、及び、後述するようにメディア変換装置１１に接続されるデジタル機器から送出される選択信号に基づき、使用するアナログポート２１〜２４の選択を行うものである。
【００４１】
切替スイッチ３７に基づきアナログポート２１〜２４の選択を行う場合、接続部選択手段は、各スイッチ部３７ａ〜３７ｄのオン／オフの状態に基づいて、Ａ／Ｄ・Ｄ／Ａ変換ＬＳＩ３０で各アナログポート２１〜２４の中から使用するポートを選択させる制御処理を行う。また、デジタル機器からの信号に基づきアナログポートの選択を行う場合は、図１に示すＤＶＤ装置１６及びデジタルディスプレイ１７等は、後述するように選択信号を送出可能にしており、送出された選択信号に基づき使用するアナログポートを選択するように、Ａ／Ｄ・Ｄ／Ａ変換ＬＳＩ３０の制御処理を行う。
【００４２】
また、ＣＰＵ３４の検知手段は、通信バス２５の各通信ケーブル２５ａ〜２５ｄの帯域幅を検知するものである。通信バス２５はＩＥＥＥ１３９４に基づいて構築されているので、ＤＶＤ装置１６からパーソナル・コンピュータ１９のデジタル機器の中でいずれか１台がＩＥＥＥ１３９４におけるＩＲＭ（Ｉｓｏｃｈｒオンｏｕｓ　Ｒｅｓｏｕｒｃｅ　Ｍａｎａｇｅｒ）として機能している。
【００４３】
ＩＲＭとして機能するデジタル機器は、通信バス２５のリソース（資源）を随時管理すると共に管理内容を自身のメモリに記憶しているので、各通信ケーブル２５ａ〜２５ｄの帯域幅もＩＲＭのデジタル機器が有するメモリ内の特定のレジスタ（Ｂａｎｄ　Ｗｉｄｔｈ　Ｒｅｇｉｓｔｅｒ）に記憶される。よって、ＣＰＵ３４の検知手段は、このレジスタの数値を確認することで帯域幅を検知し、ＣＰＵ３４はこの検知された帯域幅の数値から、現在、帯域幅に余裕があるか、空きが無い状態であるかを随時判断している。
【００４４】
さらに、ＣＰＵ３４の接続部遮断手段は、上述した検知手段が検知した帯域幅に空きが無い場合、即ち、通信バス２５に多量のデータが流れて余裕がないとき、Ａ／Ｄ・Ｄ／Ａ変換ＬＳＩ３０に対して各アナログポート２１〜２４のいずれかを遮断させる制御を行う。なお、遮断するアナログポート２１〜２４は、各アナログポート２１〜２４を流れるデータのデータ量及びデータの重要度等に応じてＣＰＵ３４が随時選択でき、複数のアナログポートを同時に遮断することも可能にしている。
【００４５】
また、図２に示すＳＤＲＡＭ３５は、ＣＰＵ３４の処理制御に係るデータ及びファイル等を一時的に記憶するものであり、ＦＲＯＭ３６は、ＣＰＵ３４を上述した接続部選択手段及び接続部遮断手段等の各種手段として機能させるプログラムを記憶するものである。さらに、電源回路３８は、イグニッションスイッチ３９のキー位置に応じてバッテリ４０からの電源（＋Ｂ、ＡＣＣ）をメディア変換装置１１のリンク制御ＬＳＩ３１のような各種ＬＳＩ及びＣＰＵ３４等に供給している。
【００４６】
一方、図１に示すＤＶＤ装置１６及びデジタルモニタ１７等のデジタル機器は、ＤＶＤ装置１６及びデジタルモニタ１７が車載機器であり、ＤＶカメラ１８及びパーソナル・コンピュータ１９が外部より車両Ｓに持ち込まれて接続された外部機器に相当している。
【００４７】
各デジタル機器は、ＩＥＥＥ１３９４に基づいてデジタルデータをパケットで送受しており、受け付けるパケットを取得するか否か選択するためのチャネル番号を設定する番号設定手段、受け付けたパケットのチャネル番号を検知する番号検知手段、及び、検知したチャネル番号及び設定したチャネル番号が同一の場合、このチャネル番号のデジタルデータを取得するデータ取得手段を備えている。さらに、本実施形態の各デジタル機器は、メディア変換装置１１で使用するアナログポート２１〜２４を選択するコマンドに相当する選択信号を送出する信号送出手段も備えている。
【００４８】
具体的に、図４に示すＤＶカメラ１８で上述した各手段を説明する。ＤＶカメラ１８は、通信バス２５の通信ケーブル２５ｃ、２５ｄが夫々接続される接続ポート１８ａ、１８ｂに接続してある１３９４Ｉ／Ｆ（インタフェース）部１８ｃ、ＣＰＵ、ＲＯＭ及びＲＡＭ等を含む制御部１８ｄ、及び、制御部１８ｄと接続してある設定操作部１８ｅを備えている。
【００４９】
１３９４Ｉ／Ｆ部１８ｃは、パケットの送受を行うと共に、上述した検知手段、データ取得手段及び信号送出手段として機能するものである。即ち、検知手段としては、受け付けたパケットに付加されたチャネル番号を検知し、検知したチャネル番号を制御部１８ｄへ伝送する。また、データ取得手段としては制御部１８ｄの制御により受け付けたパケットの取得を行う。さらに、信号送出手段として制御部１８ｄの制御によりメディア変換装置１１の使用するアナログポート２１〜２４を選択するコマンドの選択信号の送出を行っている。
【００５０】
また、設定操作部１８ｅは、番号設定手段としてＤＶカメラ１８で受け付けるアナログデータが通過するアナログポート２１〜２４のチャネル番号の設定操作を可能にしており、さらに、メディア変換装置１１で使用するアナログポート２１〜２４の選択操作も可能にしている。設定操作部１８ｅは、これらの操作に対応して操作スイッチ及びボタン（図示せず）が設けてあり、操作された内容は制御部１８ｄに伝送されている。
【００５１】
制御部１８ｄは、１３９４Ｉ／Ｆ部１８ｃで検知されたパケットのチャネル番号及び設定操作部１８ｅで設定されたチャネル番号が同一か否かを判断しており、同一の場合は受け付けたパケットを取得するように、また、相違する場合は受け付けたパケットを廃棄するように１３９４Ｉ／Ｆ部１８ｃを制御する。さらに、制御部１８ｄは、設定操作部１８ｅで設定操作された内容を受けて使用対象となるアナログポート２１〜２４を選択する選択信号を作成し、この選択信号をパケットで送出するように１３９４Ｉ／Ｆ部１８ｃを制御する。
【００５２】
次に、上述した構成のデータ変換システム１０において、デジタル機器からアナログ機器へデータを伝送する場合の一連の処理について説明する。この処理は、選択信号に基づいて行う場合、及び、切替スイッチに基づいて行う場合の計２通りの方法があり、選択信号に基づく処理を、ＤＶカメラ１８のデジタルデータをアナログモニタ１４へ伝送して表示する場合を例にして、図５に示す第１フローチャートに基づき説明する。
【００５３】
先ず、ＤＶカメラ１８の操作によりメディア変換装置１１の第３アナログポート２３を選択する選択信号を載せたデジタルデータのパケットを、ＤＶカメラ１８からメディア変換装置１１宛で送出する（Ｓ１）。また、メディア変換装置１１は、通信バス２５に接続してある各デジタル機器からのパケットを随時受け付けている（Ｓ２）。
【００５４】
次に、メディア変換装置１１は、受け付けたパケットが自己宛か否かを判断する（Ｓ３）。パケットが自己宛でない場合（Ｓ３：ＮＯ）、受け付けたパケットを廃棄して（Ｓ４）、パケットを受け付ける段階へ戻る（Ｓ２）。また、パケットが自己宛である場合（Ｓ３：ＹＥＳ）、メディア変換装置１１は、パケットに選択信号があるか否かを判断する（Ｓ５）。
【００５５】
選択信号が無い場合（Ｓ５：ＮＯ）、受け付けたパケットを他の機器に送出することなく自己で取得してから、パケットを受け付ける段階へ戻る（Ｓ２）。また、選択信号がある場合（Ｓ５：ＹＥＳ）、メディア変換装置１１は、選択信号に基づいて第３アナログポート２３を選択し（Ｓ６）、受け付けたパケットのデジタルデータを、一般的なフォーマットを変換してからアナログデータに変換し、このアナログデータを選択した第３アナログポート２３から送出する（Ｓ７）。送出されたアナログデータはアナログモニタ１４で受け付けられて表示される（Ｓ８）。
【００５６】
このように、本発明に係るデータ変換システム１０は、メディア変換装置１１に複数のアナログ機器の接続を可能にした上、あるデジタル機器のデータを複数のアナログ機器の中から特定のアナログ機器へ確実に伝送できる。
【００５７】
また、切替スイッチ３７でデータ伝送に係る処理を、ＤＶカメラ１８からアナログモニタ１４へデータを伝送する場合を例にして以下に説明する。なお、切替スイッチ３７で処理を行う場合は、デジタル機器から選択信号を送出せず、また、メディア変換装置１１でも選択信号の有無を判断しない。
【００５８】
まず、データを伝送する前に、メディア変換装置１１において、切替スイッチ３７の第３スイッチ部３７ｃのみをオン、他のスイッチ部３７ａ、３７ｂ、３７ｄをオフに設定操作し、第３アナログポートのみでデータが通過される状態にする。このような状態でＤＶカメラ１８からデジタルデータをメディア変換装置１１へ送出すると、メディア変換装置１１で変換されたアナログデータは唯一データの通過が可能な第３アナログポート２３を経由してアナログモニタ１４へ伝送される。
【００５９】
なお、上述したデータの伝送では、デジタル機器としてＤＶカメラ１８からデジタルデータを送出する場合で説明したが、ＤＶＤ装置１６及びデジタルモニタ１７等の他のデジタル機器からもメディア変換装置１１を経由して複数のアナログ機器の中から特定のアナログ機器へデータを伝送することが可能である。
【００６０】
一方、次にアナログ機器からデジタル機器へデータ伝送を行う場合、データ変換システム１０では、チャネル番号に基づく方法、選択信号に基づく方法及び切替スイッチ３７による３通りの処理方法で対応できる。これら方法の中で最初に、チャネル番号に基づく方法で、図１に示すバックカメラ１２の撮影した画像データをデジタルモニタ１７へ伝送して表示する場合について、図６の第２フローチャートに基づいて説明する。
【００６１】
先ず、デジタルモニタ１７を操作して、取得するパケットのチャネル番号をバックカメラ１２が接続されてある第１アナログポート２１のチャネル番号の「１」に設定する（Ｓ１０）。この状態でバックカメラ１２から撮像した画像のアナログデータを送出する（Ｓ１１）。送出されたアナログデータはメディア変換装置１１の第１アナログポート２１で受け付けられて、メディア変換装置１１で１３９４フォーマットのデジタルデータに変換され（Ｓ１２）、変換されたデジタルデータのパケットにチャネル番号が付加されて、第１デジタルポート１１ａより送出される（Ｓ１３）。
【００６２】
また、通信バス２５では他のデジタル機器からのパケットも伝送されており、これら伝送されているパケットはデジタルモニタ１７で随時受け付けられ（Ｓ１４）、受け付けたパケットのチャネル番号が設定したチャネル番号と同一か否か判断される（Ｓ１５）。両方のチャネル番号が同一でない場合（Ｓ１５：ＮＯ）、バックカメラ１２からのパケットではないと判断してパケットを廃棄し（Ｓ１６）、新たなパケットを受け付ける段階（Ｓ１４）へ戻る。
【００６３】
一方、両方のチャネル番号が同一である場合（Ｓ１５：ＹＥＳ）、受け付けたパケットはバックカメラ１２からのものであると判断して、このパケットを取得し、パケットのデジタルデータをデジタルモニタ１７で表示する（Ｓ１７）。このように、チャネル番号に基づきパケットを取捨選択することで、通信バス２５に接続されるデジタル機器は、複数のアナログ機器の中から所要のアナログ機器のデータを取得できる。
【００６４】
なお、このチャネル番号に基づく処理では、複数のアナログ機器が同時にデータを送出しても、特定のアナログ機器のデータをデジタル機器で取得できるが、大量のデータの送出により通信バス２５の帯域幅が不足することもある。このような場合は、メディア変換装置１１が通信バス２５の帯域幅を検知し、帯域幅に空きが無くなると、各アナログポート２１〜２４のいずれかを遮断するので、通信バス２５のデータ伝送状況を良好に維持できる。
【００６５】
また、選択信号に基づく処理で、アナログビデオ装置１５の画像データをデジタルモニタ１７へ伝送して表示する場合について、図７の第３フローチャートに基づいて説明する。
【００６６】
先ず、デジタルモニタ１７で、アナログビデオ装置１５が接続された第４アナログポート２４を選択する選択信号をパケットに載せてメディア変換装置１１宛で送出する（Ｓ２０）。メディア変換装置１１は、通信バス２５から伝送されるパケットを随時受け付けており（Ｓ２１）、受け付けたパケットが自己宛であるか否かを判断する（Ｓ２２）。パケットが自己宛でない場合（Ｓ２２：ＮＯ）、パケットを廃棄して（Ｓ２３）、新たなパケットを受け付ける段階（Ｓ２１）へ戻る。
【００６７】
一方、パケットが自己宛である場合（Ｓ２２：ＹＥＳ）、次にメディア変換装置１１は、パケットに選択信号があるか否かを判断する（Ｓ２４）。選択信号が無い場合（Ｓ２４：ＮＯ）、パケットを受け付ける段階（Ｓ２１）へ戻り、選択信号のあるパケットを受け付けるまでループ状態になる。
【００６８】
一方、パケットに選択信号がある場合（Ｓ２４：ＹＥＳ）、メディア変換装置１１は、受け付けた選択信号に基づき使用するアナログポートの選択を行う（Ｓ２５）。この場合であれば、上述したデジタルモニタ１７が送出した選択信号により、第４アナログポート２４が選択される。なお、選択されなかった他のアナログポート２１〜２３は、メディア変換装置１１が遮断して、アナログデータの受付を行わないように制御する。
【００６９】
アナログポートの選択後、メディア変換装置１１は、選択したアナログポート（第４アナログポート２４）からアナログビデオ装置１５のアナログデータの受付があるか否かを判断する（Ｓ２６）。アナログデータの受付が無い場合（Ｓ２６：ＮＯ）、アナログデータを受け付けるまでデータを待ち受けるループ状態になる。
【００７０】
また、アナログビデオ装置１５からアナログデータを受け付けた場合（Ｓ２６：ＹＥＳ）、メディア変換装置１１は受け付けたアナログデータを第４アナログポート２４のチャネル番号を付してＡ／Ｄ変換し（Ｓ２７）、Ａ／Ｄ変換したデジタルデータを１３９４フォーマットに変換する（Ｓ２８）。その後、メディア変換装置１１は１３９４フォーマットのデジタルデータを通信バス２５へ連続して送出する（Ｓ２９）。
【００７１】
送出されたデジタルデータは、デジタルディスプレイ１７で予め設定されたチャネル番号を元に取得されて、取得されたデータの表示が行われる（Ｓ３０）。このように、デジタル機器から選択信号を送出して使用するアナログポートを選択することにより、メディア変換装置１１に複数のアナログ機器が接続されていても、デジタル機器は特定のアナログ機器のデータを取得することができる。
【００７２】
また、選択信号によりメディア変換装置１１が受け付けるデータを選択することで、データの伝送経路が規制されて多数のアナログ機器から同時に多数のアナログデータをメディア変換装置１１で受け付けるような状況を防止できる。その結果、伝送されるデータが整理されてスムーズなデータ伝送を実現できる。
【００７３】
最後に、メディア変換装置１１の切替スイッチ３７の操作により、デジタル機器が受け付けるアナログ機器のデータを選択する処理を、左方カメラ１３の撮像アナログデータをＤＶＤ装置１６で記録する場合で説明する。先ず、データを伝送する前に、メディア変換装置１１の切替スイッチ３７の第２スイッチ部３７ｂのみをオンに設定する操作を行う。
【００７４】
このようにすることで、メディア変換装置１１は、第２アナログポート２２のみ使用できるようになって、左方カメラ１３からのアナログデータのみを受け付ける。また、ＤＶＤ装置１６でも第２アナログポート２２のチャネル番号に予め設定操作しておく。
【００７５】
次に、メディア変換装置１１は、アナログデータを受け付けた後、上述した処理と同様に、Ａ／Ｄ変換及び１３９４フォーマットへの変換を行ったデジタルデータを通信バス２５へ送出し、送出されたデジタルデータはチャネル番号に基づきＤＶＤ装置１６で取得されて記録が行われる。このように切替スイッチ３７の操作でメディア変換装置１１が受け付けるアナログデータを絞り込むことで、アナログ機器からのデータで通信バス２５が混雑するような状況を排除でき、効率的なデータ伝送環境を形成できる。なお、上述した３通りの方法では、上述した機器間以外でも同様にデータを伝送できる。
【００７６】
また、本発明は、上述した形態に限定されるものではなく、基本的に選択信号のみで各アナログポートの選択を行う場合は、メディア変換装置１１の切替スイッチ３７を省略することも可能である。また、基本的に切替スイッチ３７の操作により各アナログポートに切替を行う場合は、選択信号の送出、受付及び判断等に係る部分を各デジタル機器及びメディア変換装置１１から省略してもよい。
【００７７】
【発明の効果】
以上に詳述した如く、第１発明にあっては、変換装置に複数のアナログ機器用の接続部を設けることで、デジタル及びアナログの複数の機器同士の接続を実現でき、データの利用性を向上できる。
第２発明及び第６発明にあっては、変換装置が各接続部の固有番号を付加してデジタルデータを送出するので、デジタル機器は付加された固有番号に基づきデジタルデータを取捨選択でき、多数の機器が接続されていても特定の機器間でデータを伝送できる。
【００７８】
第３発明にあっては、変換装置がデジタル機器を接続する通信ケーブルの帯域幅を検知するので、多量のデータ伝送によりデータが溢れるような場合、所要の接続部を遮断して変換装置が受け付けるアナログデータの量を制限し、良好なデータ伝送状況を維持できる。
【００７９】
第４発明及び第７発明にあっては、複数の接続部の中から使用する接続部を選択するので、デジタル機器からアナログ機器へのデータ伝送及びアナログ機器からデジタル機器へのデータ伝送の両方の場合で、データを伝送する経路を規制して所要の機器間で確実にデータを伝送できる。
第５発明は、デジタル機器が送出する選択信号に基づき、変換装置が接続部の選択を行うので、デジタル機器から使用する接続部を選択でき、デジタル機器及びアナログ機器の相方向におけるデータ伝送に対してシステムの利便性を向上できる。
【図面の簡単な説明】
【図１】本発明の実施形態に係るデータ変換システムの全体構成図である。
【図２】メディア変換装置の内部構成図である。
【図３】切替スイッチの概略図である。
【図４】ＤＶカメラの概略構成図である。
【図５】デジタル機器からアナログ機器へデータを伝送する場合の処理を示す第１フローチャートである。
【図６】チャネル番号に基づきアナログ機器からデジタル機器へデータを伝送する場合の処理を示す第２フローチャートである。
【図７】選択信号に基づきアナログ機器からデジタル機器へデータを伝送する場合の処理を示す第３フローチャートである。
【図８】従来のデータ変換システムの全体構成図である。
【符号の説明】
１０　データ変換システム
１１　メディア変換装置
１２〜１５　アナログ機器
１６〜１９　デジタル機器
２１〜２４　アナログポート
２５　通信バス
３０　Ａ／Ｄ・Ｄ／Ａ変換ＬＳＩ
３１　リンク制御ＬＳＩ
３３　ファイＬＳＩ
３４　ＣＰＵ
３７　切替スイッチ
Ｓ　車両
【図１】
2004104705.tif 000003
【図２】
2004104705.tif 000004
【図３】
2004104705.tif 000005
【図４】
2004104705.tif 000006
【図５】
2004104705.tif 000007
【図６】
2004104705.tif 000008
【図７】
2004104705.tif 000009
【図８】
2004104705.tif 000010